(57)【要約】      （修正有）【課題】非金属製の内鍋の底部外周側湾曲面部の電磁誘導加熱手段をも有効に冷却可能とする。【解決手段】底部中央面に設けられた第１の誘導発熱体と底部外周側湾曲面に設けられた第２の誘導発熱体を介して電磁誘導加熱が可能な非金属製の内鍋と、この内鍋を収容する内ケースと、この内ケースを収容固定する外ケースと、上記内鍋を上記第１の誘導発熱体を介して電磁誘導加熱する第１の電磁誘導加熱手段と、上記内鍋を上記第２の誘導発熱体を介して電磁誘導加熱する第２の電磁誘導加熱手段とを備えてなる電気炊飯器において、上記外ケース内に電装品を冷却する送風ファンを設けるとともに上記内ケース底部の上記第１の電磁誘導加熱手段部分に同送風ファンからの冷却風を流す通風路を設け、この通風路を介して上記送風ファンからの風を、上記第１の電磁誘導加熱手段を冷却した後に、さらに上記第２の電磁誘導加熱手段方向に向けて吹き出させるようにした。【選択図】        図７
2007325868.tif 000002
【特許請求の範囲】
【請求項１】
底部中央面に設けられた第１の誘導発熱体と底部外周側湾曲面に設けられた第２の誘導発熱体を介して電磁誘導加熱が可能な非金属製の内鍋と、この内鍋を取り出し可能に収容する内ケースと、この内ケースを収容固定する外ケースと、上記内ケースの底壁部中央面に設けられ、上記内鍋を上記第１の誘導発熱体を介して電磁誘導加熱する第１の電磁誘導加熱手段と、上記内ケースの底壁部外周側湾曲面に設けられ、上記内鍋を上記第２の誘導発熱体を介して電磁誘導加熱する第２の電磁誘導加熱手段とを備えてなる電気炊飯器において、上記外ケース内に電装品を冷却する送風ファンを設けるとともに上記内ケース底部の上記第１の電磁誘導加熱手段部分に同送風ファンからの冷却風を流す通風路を設け、この通風路を介して上記送風ファンからの風を、上記第１の電磁誘導加熱手段を冷却した後に、さらに上記第２の電磁誘導加熱手段方向に向けて吹き出させるようにしたことを特徴とする電気炊飯器。
【請求項２】
通風路における冷却風の入口部はファンの空気吹出側に対応して１個所設けられている一方、吹出口部分は周方向に複数個所設けられていることを特徴とする請求項１記載の電気炊飯器。
【発明の詳細な説明】
【技術分野】
【０００１】
本願発明は、非金属製の内鍋を採用した電磁誘導加熱式の電気炊飯器の構造に関するものである。
【背景技術】
【０００２】
最近の電気炊飯器では、高出力で加熱効率が高く、出力制御の応答性も高いために、早く、しかも美味しい御飯を炊き上げることができる，などの理由から、内鍋（飯器）自体を金属材料で形成するとともに、その加熱手段として、電磁誘導によって当該内鍋内に渦電流を誘起させて自己発熱させる電磁誘導加熱手段を採用した電磁誘導加熱式のものが多くなっている。
【０００３】
このような電気炊飯器の場合、上記電磁誘導加熱手段として、所謂ワークコイルを採用し、内鍋を収納する有底筒状の内ケース（保護枠）の底壁面に対し、巻き幅の広い１組のワークコイルを沿わせて設置するか、または同底壁面の中央部側に位置して巻かれた第１のワークコイルと同底壁面の外周部側（湾曲面）に第１のワークコイルと所定の間隔を置いて巻かれた第２のワークコイルとの内外２組のワークコイルを内鍋の底面形状に沿わせて曲面型に設置した誘導加熱構造が採用されている。もちろん、さらに必要に応じて内ケースの側面側にもワークコイルを設けたものもある。
【０００４】
ところで、このような電磁誘導加熱手段を採用した場合において、ご飯の炊き上がりをより良好ならしめるために、上記金属材料よりなる内鍋に替えて、例えばセラミック等の非金属材料よりなる内鍋（いわゆる土鍋）の採用も検討されている。
【０００５】
その場合、内鍋自体が電磁誘導によっては発熱しないため、例えば内鍋の底部および底部近傍（底部中央のフラット面部と底部外周側の湾曲面部）に特に電磁誘導効率の高い金属製の第１，第２の誘導発熱体（例えば銀ペーストなど）を配設し、これら各誘導発熱体を上記ワークコイル等の対応する第１，第２の電磁誘導加熱手段により誘導発熱させることにより、内鍋を加熱する加熱構造が採用される（例えば先行特許文献１参照）。
【０００６】
【特許文献１】特願２００６−５０２５７号（明細書１−９頁、図１−９）
【発明の開示】
【発明が解決しようとする課題】
【０００７】
ところが、上記のように非金属製の内鍋を採用した場合、内鍋の熱伝導性がよくないために上記誘導発熱体が局部的に発熱するとともに、間接加熱であるために対流が起こりにくいことから、内鍋内に収容された水および米が均一に加熱されにくい問題がある。
【０００８】
しかも、誘導発熱体および内鍋からの熱伝導や輻射熱により、上記内ケース（保護枠）やワークコイルの温度が上昇するので、内ケース（保護枠）やワークコイルの耐熱温度を考慮した特別な耐熱対策が必要となり、炊飯のための加熱量を増大させにくい問題もある。
【０００９】
中でも、上記誘導発熱体部分は、特に局所的に高温になり、その輻射熱の影響を受けて対応するワークコイル部分の温度も上昇しやすい。
【００１０】
そこで、同ワークコイル部分にファンからの冷却風を流して冷却することが考えられるが、第１のワークコイルが設置されている内ケース底壁部中央のフラットな面に沿って冷却風を流しただけでは、底壁部外周側湾曲面部に設置されている第２のワークコイルには有効に冷却風が当らない問題が生じる。
【００１１】
本願発明は、このような問題を解決するためになされたもので、上記底部中央の第１の電磁誘導加熱手段を冷却した後の風を上記内ケース底部外周側の第２の電磁誘導加熱手段方向にガイドして、底部から側部外周方向に上昇させることによって、各ワークコイルの耐熱限界温度を高くしながら、有効に内鍋の加熱効率を向上させた電気炊飯器を提供することを目的とするものである。
【課題を解決するための手段】
【００１２】
本願発明は、同目的を達成するために、次のような課題解決手段を備えて構成されている。
【００１３】
（１）  請求項１の発明
この発明の電気炊飯器は、底部中央面に設けられた第１の誘導発熱体と底部外周側湾曲面に設けられた第２の誘導発熱体を介して電磁誘導加熱が可能な非金属製の内鍋と、この内鍋を取り出し可能に収容する内ケースと、この内ケースを収容固定する外ケースと、上記内ケースの底壁部中央面に設けられ、上記内鍋を上記第１の誘導発熱体を介して電磁誘導加熱する第１の電磁誘導加熱手段と、上記内ケースの底壁部外周側湾曲面に設けられ、上記内鍋を上記第２の誘導発熱体を介して電磁誘導加熱する第２の電磁誘導加熱手段とを備えてなる電気炊飯器において、上記外ケース内に電装品を冷却する送風ファンを設けるとともに上記内ケース底部の上記第１の電磁誘導加熱手段部分に同送風ファンからの冷却風を流す通風路を設け、この通風路を介して上記送風ファンからの風を、上記第１の電磁誘導加熱手段を冷却した後に、さらに上記第２の電磁誘導加熱手段方向に向けて吹き出させるようにしたことを特徴としている。
【００１４】
このような構成によると、電装品冷却用のファンからの風が、通風路を通して内ケース底壁部中央の第１の電磁誘導加熱手段を冷却した後に、その空気吹出口部分から、さらに底壁部外周側湾曲面部の第２の電磁誘導加熱手段方向に向けて吹き出されてゆくようになるから、底壁部外周側湾曲面部の第２の電磁誘導加熱手段をも効果的に冷却することができるようになる。
【００１５】
（２）  請求項２の発明
この発明の電気炊飯器は、上記請求項１の発明の構成において、通風路における冷却風の入口部分はファンの空気吹出側に対応して１個所設けられている一方、吹出口部分は周方向に複数個所設けられていることを特徴としている。
【００１６】
このような構成によると、内ケースの底壁部外周側湾曲面部の第２の電磁誘導加熱手段の全体に亘って均一に冷却風が供給されるようになり、より効果的な冷却が可能になる。
【発明の効果】
【００１７】
以上の結果、本願発明によると、内ケース底壁部中央の電磁誘導加熱手段および内ケース底壁部外周側湾曲面の電磁誘導加熱手段各々の有効な冷却が可能となる。
【００１８】
したがって、それら各電磁誘導加熱手段の耐熱限界温度を高くしながら、有効に内鍋の加熱効率を向上させた電気炊飯器を提供することができる。
【発明を実施するための最良の形態】
【００１９】
（最良の実施の形態１）
図１〜図８は、本願発明の最良の実施の形態１に係る電気炊飯器の炊飯器本体および各部の構成を示している。
【００２０】
（全体の構成）
先ず、同最良の実施の形態１における電気炊飯器では、例えば内鍋（飯器ないし保温容器）３として非金属材料からなる鍋（例えば、セラミック製の土鍋）が採用されており、その底壁部３ａの底部中央面（フラット面）および該底壁部３ａ外周の湾曲面部（Ｒ面部）には、それぞれ内部に誘起されるうず電流によって自己発熱が可能な、例えば数十ミクロンφ程度の銀の粒状物と樹脂との混合物からなる銀ペースト等の金属製の第１，第２の誘導発熱体Ｇ1，Ｇ2が設けられている。
【００２１】
上記底壁部３ａの底部中央の第１の誘導発熱体Ｇ1は、例えば図８に示すように、中心部Ｏと半径方向の途中に非発熱部を設けた内外２重輪構造の２本のドーナツ発熱体Ｇａ，Ｇｂにより形成されている。
【００２２】
すなわち、該電気炊飯器は、同構成の内鍋３と、該内鍋３を任意に収納セットし得るように形成された下部側合成樹脂製の皿状の底壁部４および上部側筒状の側壁部６よりなる内ケース（保護枠）４６と、該内ケース４６を保持する外部筺体である有底筒状の外ケース１ａと、該外ケース１ａと上記内ケース４６とを一体化して形成された炊飯器本体１の上部に開閉可能に設けられた蓋ユニット（蓋）２とから構成されている。
【００２３】
上記内ケース４６の底壁部４の下方側には、フェライトコア収納部４０ｃ，４０ｃ・・・を備えたコイルカバー４０が設けられ、その下部にはフェライトコアを配置し（図示省略）、またそれらの間には、上記内鍋３の底壁部３ａの中央部側フラット面と外周部側湾曲面の上記第１，第２の２組の誘導発熱体Ｇ1，Ｇ2位置に対応して各々リッツ線が同心状に巻成された第１，第２の２組のワークコイルＣ1，Ｃ2が設けられており、それらへの通電時には上記内鍋３の上記第１，第２の誘導発熱体Ｇ1，Ｇ2にうず電流を誘起して、上記内鍋３を加熱するようになっている。
【００２４】
上記内ケース４６の皿状の底壁部４は、その底面部４ａの中央部にセンターセンサーＣＳのセンサー部嵌合口４ｆが形成されているとともに、同センサー部嵌合口４ｆの外周側上面にはドーナツ状の遮熱板３０が設けられている。また、外周側湾曲面部４ｂの上端側には、所定幅半径方向外方に張り出したフランジ状の段部４ｃが設けられ、この段部４ｃ部分に上記上部側筒状の側壁部６の下端６ａ側が係合載置されている。
【００２５】
他方、同上部側筒状の側壁部６の上端６ｂは、内枠部材９を介して上記炊飯器本体１側外ケース１ａ上端の肩部材１１に連結して固定されている。
【００２６】
また、上記内ケース４６の上部側筒状の側壁部６の外周には、炊飯および保温時において加熱手段として機能する例えばコードヒータよりなる保温ヒータＨ1が設けられており、炊飯時および保温時において上記内鍋３の全体を有効かつ均一に加熱するようになっている。
【００２７】
ところで、本実施の形態の場合、例えば図１，図２および図７に示されるように、上記内ケース４６の下部側底壁部４の底部４ａとコイルカバー４０の底壁部４０ａとの間には、その前部側から後部側に到る通風路が形成されている。
【００２８】
（通風路の構成）
この通風路は、次のようにして形成されている。
【００２９】
すなわち、上記内ケース４６の底壁部４の底部４ａの下面部外周には、例えば図３および図４に示すように、円弧状の薄肉の筒状壁（薄肉リブ）４ｅ，４ｅが周方向に沿って立設されており、その前部と後部には、筒壁４ｅのない切欠部２６ａ，２６ｂが設けられているとともに、それらの間には、平面三角形状の複数の台状リブＬ1〜Ｌ12が所望の間隔で所望の位置、かつ所望の方向に散在するように設けられている。
【００３０】
また、上記コイルカバー４０の底壁部４０ａの上面部外周には、上記内ケース４６の底壁部４の底部４ａの下面側筒状壁４ｅ，４ｅに対応した同様の円弧状の薄肉の第１の筒状壁（薄肉リブ）４０ｂ，４０ｂが上方に向けて立設されているとともに、それらの間には、平面三角形状の複数の台状リブＬ1〜Ｌ12が上記内ケース４６の底壁部４の台状のリブＬ1〜Ｌ12と対称な位置関係で散在するように設けられている。
【００３１】
さらに、このコイルカバー４０の場合、上記第１の筒状壁４０ｂ，４０ｂよりも所定幅半径方向外方に位置する上記底壁部４０ａ外周縁の上記後部側切欠部２６ｂに対向する半径方向位置には、当該後部側切欠部２６ｂの開口部の円弧角幅よりも十分に大きな円弧角幅の薄肉の第２の筒状壁（薄肉リブ）４０ｄが上方に向けて立設されている。
【００３２】
これら内ケース４６の底壁部４の筒状壁４ｅ，４ｅとコイルカバー４０の底壁部４０ａの第１の筒状壁４０ｂ，４０ｂとは、例えば内ケース４６の底壁部４に対して第１のワークコイルＣ1を介してコイルカバー４０を下方から嵌合した時に、例えば図１、図２、図７のように相互に摺接した状態で嵌合し合って、第１のワークコイルＣ1の周囲を囲む略円形の通風空間を形成する。
【００３３】
また、この嵌合状態では、上記第１のワークコイルＣ1の渦巻状の各線輪が、上記上下両側に位置して相互に対向する台状のリブＬ1〜Ｌ12，Ｌ1〜Ｌ12間に安定した状態で挟圧支持され、当該第１のワークコイルＣ1の上下に有効な通風スペースａ，ｂが形成される（図１、図７参照）。
【００３４】
一方、このようにして筒状壁４ｅ，４ｅ、第１の筒状壁４ｂ，４ｂ間に形成された第１のワークコイルＣ1を囲む通風路は、上記前部側切欠部２６ａ，２６ａの対向部部分が冷却風の流入口部となる一方、上記後部側切欠部２６ｂ，２６ｂの対向部部分が冷却風の吹出口部分となる。
【００３５】
そして、同後部側の冷却風吹出口部分に対して、上記コイルカバー４０側外周縁の第２の筒状壁４０ｄの内周面が同一水平面状に対応することになる。
【００３６】
他方、前部側切欠部２６ａ，２６ａにより形成される冷却風の流入口部には、例えば図１および図２に示されるように、前部側下面が後部方向に斜めに大きく開口された偏平な角形の冷却風導入筒２５が連接壁２５ｂ，２５ｂを介して連接されており、該冷却風導入筒２５を介して上記炊飯器本体１の本体ケース１ａ内前方底部に設置されている電装品等冷却用のファン（短軸の軸流ファン）２３からの冷却風の一部を導入して上記第１のワークコイルＣ1側通風路の通風空間（通風スペースａ，ｂ）に流すようになっている。
【００３７】
電装品等冷却用のファン２３は、そのファン羽根車の直径の１／２程度を上記冷却風導入筒２５の下面側斜めの開口２５ａ部分に対応して設置されている一方、その他の１／２部分は、ＩＧＢＴ等からの熱放熱用のヒートシンク２４、電源基板および制御基板Ｂ1、マイコン基板Ｂ2等に対応して設置されている。
【００３８】
なお、図１中の符号２２は、本体ケース１ａの底部に嵌合一体化された底部材（底カバー）１ｂ部分に設けられたファン２３の空気吸込口である。
【００３９】
このような構成によると、上記ファン２３からの風が、例えば炊飯器本体１の前部側では、電源基板や制御基板Ｂ1、マイコン基板Ｂ2、ＩＧＢＴ用ヒートシンク２４等の冷却に使用される一方、冷却風導入筒２５を介して、上記発熱部材である第１のワークコイルＣ1を囲む通風路の通風空間内に導入され、同第１のワークコイルＣ1を効果的に冷却した後に、上記内ケース４６の底壁部４の後部側切欠部２６ｂと上記コイルカバー４０の底壁部４０ａの後部側切欠部２６ｂよりなる冷却風の吹出口部分より水平方向に吹き出される。
【００４０】
しかし、同冷却風の吹出口部分の半径方向外方側コイルカバー４０の底部４０ａの外周縁には、上方側第２のワークコイルＣ2方向に所定の高さ立設した第２の筒状壁４０ｄが存在することから、同第２の筒状壁４０ｄが下方から上方への風向ガイド板となり、上記水平方向に吹き出されようとする冷却風が、上方側第２のワークコイルＣ2方向に偏向され、上記内ケース４６の底壁部４の外周側湾曲面部に設けられている第２のワークコイルＣ2をも効率良く冷却するようになる。
【００４１】
しかも、この場合、上記第１のワークコイルＣ1の線輪を上下両側で挟圧支持している複数の台状のリブＬ1〜Ｌ12，Ｌ1〜Ｌ12は、図３、図５に詳細に示すように、その平面形状が頂角の小さい三角形状（Ｖ字状）をなしており、その数とその頂角方向、および設置位置をそれぞれ適切に設定することにより、上記第１のワークコイルＣ1を安定し、かつ冷却風が通りやすい状態に支持するとともに、冷却風の流通方向、流通状態を低圧損で、しかも可及的に冷却効率が高くなるように制御するようになっている。
【００４２】
（操作部等の構成）
一方、上述の炊飯、保温機能に対するタイマー予約や炊飯および保温メニューの選択、それら各メニューに対応した加熱量、加熱パターン、保温温度、保温時間、保温ＯＦＦ制御モードなどの操作設定は、当該電気炊飯器本体１の前面部に設けられた操作パネル２０の各種入力スイッチ群を介してユーザーにより行われ、その設定内容に応じて最終的に上記第１，第２のワークコイルＣ1，Ｃ2および保温ヒータＨ1、蓋ヒータＨ2が適切に制御されるようになっている。
【００４３】
上記操作パネル２０面のスイッチは、例えば炊飯スイッチ（ＯＮ表示部）、タイマー予約スイッチ（ＯＮ表示部）、取消スイッチ、保温スイッチ（ＯＮ表示部）、再加熱スイッチ、メニュー選択スイッチ、時スイッチ、分スイッチ、保温ＯＦＦ制御モード選択スイッチ（ＯＮ表示部）等よりなっている。
【００４４】
また、上記操作パネル２０の中央部には、炊飯、保温の各メニュー、設定された保温温度、設定保温時間並びに現在時刻および炊飯完了までの残時間その他の必要事項を表示する液晶表示部２１が設けられている。
【００４５】
（センターセンサ部の構成）
さらに、上記内ケース４６の下部側皿状の底壁部４の中央部には、上述の如く上下方向に同心状に貫通したセンターセンサー嵌合口（センターセンサー収納空間部）４ｆが形成されており、該センターセンサー嵌合口４ｆに上下方向に昇降自在な状態で、かつ常時コイルスプリングにより上方に上昇付勢された状態で内鍋温度検知センサＳ1および内鍋検知スイッチＳ2を備えたセンターセンサーＣＳが設けられている。
【００４６】
（蓋ユニットの構成）
一方、符号２は蓋ユニットであり、該蓋ユニット２は、その外周面を構成するとともに中央部に調圧パイプ１５を備えた合成樹脂製の外カバー１２と、該外カバー１２の内側に嵌合一体化して設けられた合成樹脂製の内枠１３と、該内枠１３の内側開口部内にパッキン１４ａおよび金属製の放熱板１６ａと、該放熱板１６ａの上面に設けられた蓋ヒータＨ2と、上記放熱板１６ａの下方に設けられた金属製の内蓋１６ｂとを備えて構成されている。また、放熱板１６ａの外周縁部下方および内蓋１６ｂの外周縁部下方には、それぞれパッキン１４ａ，１４ｂが設けられており、内蓋１６ｂは、同パッキン１４ｂを介して内鍋３の開口縁部３ｃの上面部に接触させられている。また、１５ａは調圧パイプ１５内の調圧弁、１５ｂはその下部側キャップである。
【００４７】
この蓋ユニット２は、図示しない上記外ケース１上部の後端側で肩部材１１に対してヒンジ機構を介して回動自在に取付けられており、その開放端側には、該蓋ユニット２の所定位置に係合して該蓋ユニット２の上下方向への開閉を行うロック機構１０が設けられている。
【００４８】
したがって、該構成では、先ず炊飯時には、上記内鍋３は、上記第１，第２の２組のワークコイルＣ1，Ｃ2の駆動により生じる渦電流によって、その底壁部３ａから側壁部３ｂ側にかけて設けられている第１，第２の誘導発熱体Ｇ1（Ｇａ，Ｇｂ），Ｇ2が発熱して内鍋３の底壁部３ａから側壁部３ｂに亘る部分が加熱されるとともに保温ヒータＨ1によって内鍋３の側壁部３ｂ部分が加熱される。
【００４９】
しかも、同状態においては、上述のように電装品等冷却用のファン２３により、第１，第２の各ワークコイルＣ1，Ｃ2に効率良く冷却風が供給されて、第１，第２の各ワークコイルＣ1，Ｃ2を効果的に冷却する。その結果、各ワークコイルＣ1，Ｃ2に有効な出力を付与することができ、例えば炊飯量が多い時などにも内鍋３の全体を略均一に加熱して加熱ムラなく効率良く炊き上げることができる。
【００５０】
また、沸騰工程以降の水分がなくなった状態における内鍋３の底壁部３ａの局部的な熱の集中をも防止して焦げ付きの発生を防止することができる。
【００５１】
（第１の誘導発熱体の構成について）
ところで、本実施の形態の内鍋３では、上述のように非金属製の内鍋３を加熱するために、内鍋３の底部３ａ中央のフラット面部と底部３ａ外周の湾曲面部との２個所に位置して銀ペーストよりなる第１，第２の誘導発熱体Ｇ1，Ｇ2を接合一体化して構成しているが、上記底部３ａ中央の第１の誘導発熱体Ｇ1は、例えば図８に示すように、中心部Ｏと半径方向の途中の２つの部分に非発熱部を設けた内外２重輪構造の２本のドーナツ状発熱体Ｇａ，Ｇｂにより形成されている。そして、これらセンターセンサＣＳの温度センサＳ1が当接する中心部Ｏおよび半径方向途中の２つの非発熱部は、それぞれセラミック製の内鍋焼結時の平滑な釉薬面（粒状の銀ペーストのない平滑面）となっている。
【００５２】
したがって、中心部Ｏ部分にセンターセンサＣＳの温度センサＳ1が繰り返し当接してもセンサ面を損傷することがないし、また発熱体そのものの温度ではなく、内鍋３自体の温度を可及的正確に検出することができる。
【００５３】
また、半径方向途中の非発熱部を形成することなく、内鍋３の底部３ａの中央面全体を単一の発熱体とすることも可能であるが、そのようにしたとしても半径方向途中の領域で発熱した熱は、温度勾配がないため、その部分で拘束されてしまい、他に伝導しないので無駄になる。そして、同領域の温度が局部的に上昇しすぎて、焦げ付きを発生させる原因ともなりかねない。
【００５４】
ところが、以上のように半径方向の途中に所定の幅の非発熱部を設けると、上記拘束部の熱の分散が可能となり、内鍋３の底部３ａ中央の加熱温度分布の均一化が図られ、焦げ付きの発生をも防ぐことができる。
【００５５】
また、その分、第１のワークコイルＣ1側の配分出力を減らして、外周側第２のワークコイルＣ2への配分出力を増大させることができる。その結果、定格出力を変えることなく、熱が伝わりにくい内鍋３の側壁部３ｂ側の加熱性能を向上させることができる。
【００５６】
しかも、銀ペースト等誘導発熱体の材料費を節約できることにもなる。
【００５７】
そして、このような誘導発熱体の構成を採用した場合、上述のように、特に第２の誘導発熱体Ｇ2の発熱量が大きくなり、第２のワークコイルＣ2部分が、その輻射熱の影響を受けて熱せられるので、上述のように第２のワークコイルＣ2に対して効果的に冷却風を供給できる構成は極めて有効なものとなる。
【００５８】
また、以上の通風路構成における後部側冷却風の吹出口（２６ｂ，２６ｂ）は、もちろん上述した第２の誘導発熱体Ｇ2の最も発熱量が大きくなる部分および第２のワークコイルＣ2の最も温度が高くなりやすい部分に対応させて設置する。
【００５９】
（最良の実施の形態２）
次に図９は、本願発明の最良の実施の形態２に係る電気炊飯器の炊飯器本体の構成を示している。
【００６０】
同図９の最良の実施の形態２における電気炊飯器では、上述した最良の実施の形態１の電気炊飯器の構成において、上述した内ケース４６の底壁部４側およびコイルカバー４０側の各筒状壁４ｅ，４ｅ、４０ｂ，４０ｂの切欠部を増やすことにより（図９中の符号２６１〜２６５参照）、第１のワークコイルＣ1を囲む通風路の冷却風吹出口部分を周方向に所定の間隔で複数個所設けたことを特徴とするものである。
【００６１】
このような構成によると、電装品冷却用のファン２３からの風が、通風路を通して内ケース４６の底壁部４底部中央の第１の第１のワークコイルＣ1を冷却した後に、周方向の複数個の冷却風吹出口から同底壁部４の外周側湾曲面部の第２のワークコイルＣ2の全体の特に全周方向に向けて吹き出されてゆくようになるから、底部外周側湾曲面部の第２のワークコイルＣ2を均等に冷却することができるようになる。
【図面の簡単な説明】
【００６２】
【図１】本願発明の最良の実施の形態１に係る電気炊飯器の炊飯器本体の構成を示す前後方向中央部での切断断面図である。
【図２】同電気炊飯器本体の底部の構成を示す底部材を外した状態の底面図である。
【図３】同電気炊飯器本体の内ケース底壁部の構成を示す底面図である。
【図４】同電気炊飯器本体の内ケース底壁部の構成を示す図３のＢ−Ｂ線切断断面図である。
【図５】同電気炊飯器本体のコイルカバー底壁部の構成を示す上面図である。
【図６】同電気炊飯器本体のコイルカバー底壁部の構成を示す図５のＣ−Ｃ線切断断面図である。
【図７】同電気炊飯器本体の内ケース底壁部の構成を示す図２のＡ−Ａ線切断断面図である。
【図８】同電気炊飯器本体の内鍋底壁部の構成を示す底面図である。
【図９】本願発明の最良の実施の形態２に係る電気炊飯器の炊飯器本体底部の底部材を外した状態の底面図である。
【符号の説明】
【００６３】
Ｃ1は第１のワークコイル、Ｃ2は第２のワークコイル、Ｈ1は保温ヒータ、Ｈ2は蓋ヒータ、Ｇ1は第１の誘導発熱体、Ｇ2は第２の誘導発熱体、１は炊飯器本体、１ａは外ケース、１ｂは底部材、２は蓋ユニット、３は内鍋、４は内ケース底壁部、４ｅは筒状壁、１６は放熱板、２３は電装品冷却用のファン、２５は冷却風導入筒、４０はコイルカバー、４０ｂは第１の筒状壁、４０ｄは第２の筒状壁である。
【図１】
2007325868.tif 000003
【図２】
2007325868.tif 000004
【図３】
2007325868.tif 000005
【図４】
2007325868.tif 000006
【図５】
2007325868.tif 000007
【図６】
2007325868.tif 000008
【図７】
2007325868.tif 000009
【図８】
2007325868.tif 000010
【図９】
2007325868.tif 000011